(57)【要約】【課題】充分に殺菌されていない液体が容器に貯められるという問題を解決するために、紫外線を用いて液体を短時間で効果的に殺菌することができる殺菌容器を提供する。【解決手段】殺菌容器１は、液体が貯められる有底筒状の容器本体１０と、容器本体１０の開口部である注液口１４を塞ぐための、容器本体１０に着脱可能な蓋３０と、容器本体１０の内部に配置され、容器本体１０に貯められる液体に紫外線を照射することで、当該液体を殺菌する複数の光源４０と、を備える。【選択図】図３
2017159251.tif 000002
【特許請求の範囲】
【請求項１】
液体が貯められる有底筒状の容器本体と、
前記容器本体の開口部を塞ぐための、前記容器本体に着脱可能な蓋と、
前記容器本体の内部に配置され、前記容器本体に貯められる液体に紫外線を照射することで、当該液体を殺菌する複数の光源と、を備える、
殺菌容器。
【請求項２】
前記複数の光源は、
前記蓋の裏面に設けられた第１光源と、
前記容器本体の内面に設けられた１以上の第２光源と、を含む、
請求項１に記載の殺菌容器。
【請求項３】
前記１以上の第２光源は、前記容器本体の内底面に設けられた第２光源を含む、
請求項２に記載の殺菌容器。
【請求項４】
前記容器本体の側面には、前記容器本体に貯められた液体を外部に供給するための貫通孔が形成され、
前記１以上の第２光源は、前記容器本体の内側面かつ前記貫通孔の近傍に設けられた第２光源を含む、
請求項２又は３に記載の殺菌容器。
【請求項５】
前記１以上の第２光源は、前記容器本体の内側面かつ前記開口部の近傍に設けられた第２光源を含む、
請求項２〜４のいずれか１項に記載の殺菌容器。
【請求項６】
前記複数の光源は、
前記蓋の裏面から前記容器本体の内部に延びるように前記蓋の裏面の略中心部に設けられた第１光源と、
前記蓋の裏面の周縁部に設けられた１以上の第２光源と、を含む、
請求項１に記載の殺菌容器。
【請求項７】
前記容器本体の側面には、前記容器本体に貯められた液体を外部に供給するための貫通孔が形成され、
前記複数の光源は、
前記蓋の裏面に設けられた第１光源と、
前記貫通孔内に設けられた１以上の第２光源と、を含む、
請求項１に記載の殺菌容器。
【発明の詳細な説明】
【技術分野】
【０００１】
本発明は、殺菌機能を有する容器に関する。
【背景技術】
【０００２】
従来、家庭に配水されている水道水などを、紫外線によって殺菌してから飲用水として用いることが行われている。これは、たとえ水道水であっても、マイクロコッカス菌又は大腸菌などの細菌が混入している場合があるためである。特に、発展途上国などにおいては、家庭用の水道水であっても十分に殺菌処理が行われていない場合、あるいは、配水途中で細菌が混入する場合がある。
【０００３】
家庭でも使用できる水殺菌装置としては、水道からの原水を濾過フィルターに通した後、流れる濾過水に紫外線を照射して殺菌し、殺菌後の水をタンクなどに貯水する技術が知られている（例えば、特許文献１参照）。タンクには、給水口（蛇口）が取り付けられており、当該給水口から給水して飲用水又は料理用の水として利用することができる。
【先行技術文献】
【特許文献】
【０００４】
【特許文献１】特開２００５−２１１８５１号公報
【発明の概要】
【発明が解決しようとする課題】
【０００５】
しかしながら、上述した従来の水殺菌装置では、濾過フィルターを通しながら、濾過水（すなわち、流水）を殺菌するので、所望の量の殺菌後の水を貯めるのに時間を要するという問題がある。また、従来の水殺菌装置は、水道管を流れる流水に対して紫外線を照射するので、充分に殺菌されないままタンクに貯水されるという問題もある。
【０００６】
そこで、本発明は、紫外線を用いて液体を短時間で効果的に殺菌することができる殺菌容器を提供することを目的とする。
【課題を解決するための手段】
【０００７】
上記目的を達成するため、本発明の一態様に係る殺菌容器は、液体が貯められる有底筒状の容器本体と、前記容器本体の開口部を塞ぐための、前記容器本体に着脱可能な蓋と、前記容器本体の内部に配置され、前記容器本体に貯められる液体に紫外線を照射することで、当該液体を殺菌する複数の光源と、を備える。
【発明の効果】
【０００８】
本発明に係る殺菌容器によれば、紫外線を用いて液体を短時間で効果的に殺菌することができる。
【図面の簡単な説明】
【０００９】
【図１】本発明の実施の形態１に係る殺菌容器の斜視図である。
【図２Ａ】本発明の実施の形態１に係る殺菌容器の上面図である。
【図２Ｂ】本発明の実施の形態１に係る殺菌容器の右側面図である。
【図３】本発明の実施の形態１に係る殺菌容器の断面図である。
【図４】本発明の実施の形態１に係る殺菌容器の断面図である。
【図５】本発明の実施の形態１に係る容器本体の斜視図である。
【図６】本発明の実施の形態１に係る蓋の斜視図である。
【図７】本発明の実施の形態１に係る殺菌容器の構成を示す機能ブロック図である。
【図８】本発明の実施の形態１に係る殺菌容器の動作を示すフローチャートである。
【図９】本発明の実施の形態１の変形例１に係る容器本体の部分断面図である。
【図１０】本発明の実施の形態１の変形例２に係る容器本体の断面図である。
【図１１】本発明の実施の形態１の変形例３に係る蓋の斜視図である。
【図１２】本発明の実施の形態１の変形例４に係る殺菌容器の断面図である。
【図１３】本発明の実施の形態１の変形例５に係る殺菌容器の断面図である。
【図１４】本発明の実施の形態２に係る殺菌容器の斜視図である。
【図１５】本発明の実施の形態２に係る殺菌容器の蓋を取り外した状態を示す斜視図である。
【発明を実施するための形態】
【００１０】
以下では、本発明の実施の形態に係る殺菌容器について、図面を用いて詳細に説明する。なお、以下に説明する実施の形態は、いずれも本発明の好ましい一具体例を示すものである。したがって、以下の実施の形態で示される数値、形状、材料、構成要素、構成要素の配置及び接続形態などは、一例であり、本発明を限定する趣旨ではない。よって、以下の実施の形態における構成要素のうち、本発明の最上位概念を示す独立請求項に記載されていない構成要素については、任意の構成要素として説明される。
【００１１】
また、各図は、模式図であり、必ずしも厳密に図示されたものではない。また、各図において、同じ構成部材については同じ符号を付している。また、以下の実施の形態において、略同一又は略中心などの表現を用いている場合がある。例えば、略同一は、完全に同一であることを意味するだけでなく、実質的に同一、すなわち、数％程度の誤差を含むことも意味する。また、略中心は、完全な中心を意味するだけでなく、実質的に中心、すなわち、数％程度の中心からのずれを含むことも意味する。
【００１２】
（実施の形態１）
［概要］
本実施の形態に係る殺菌容器は、容器本体に貯められた液体を紫外線で殺菌し、殺菌された液体を容器本体の側面に設けられた供給口から外部に供給する。本実施の形態に係る殺菌容器の概要について、図１〜図３を用いて説明する。
【００１３】
図１は、本実施の形態に係る殺菌容器１の斜視図である。図２Ａ〜図２Ｂはそれぞれ、本実施の形態に係る殺菌容器１の上面図及び右側面図である。図３は、本実施の形態に係る殺菌容器１の断面図である。図４は、本実施の形態に係る殺菌容器１の断面図である。具体的には、図３は、図２Ａに示すＩＩＩ−ＩＩＩ線における断面を示し、図４は、図２Ｂに示すＩＶ−ＩＶ線における断面を示している。各図において、殺菌容器１の左右方向をＸ軸方向、前後方向をＹ軸方向、上下方向をＺ軸方向とする。
【００１４】
本実施の形態に係る殺菌容器１は、例えば、飲用水又は料理用水などの液体を提供する。具体的には、殺菌容器１は、水道水、井戸水、湧き水、雨水などの液体（以下、「未殺菌液」と記載する）に紫外線（ＵＶ光）を照射することで当該液体を殺菌する。殺菌容器１は、殺菌後の液体（以下、「殺菌液」と記載する）を飲用水などとして提供する。
【００１５】
本実施の形態に係る殺菌容器１は、図１に示すように、いわゆるウォータージャグと呼ばれる、小型、かつ、軽量であり、持ち運び可能な容器である。殺菌容器１は、例えば、家庭などに設置されてもよく、あるいは、屋外に運ばれて用いられてもよい。
【００１６】
図１〜図４に示すように、殺菌容器１は、容器本体１０と、供給口２０と、蓋３０と、複数の光源４０と、開閉センサ５０（図５及び図６を参照）と、駆動回路６０と、インジケータ７０と、を備える。
【００１７】
以下では、本実施の形態に係る殺菌容器１が備える構成要素について、図１〜図４を適宜参照しながら詳細に説明する。
【００１８】
［容器本体］
図５は、本実施の形態に係る容器本体１０を示す斜視図である。
【００１９】
図５に示すように、容器本体１０は、内部空間に液体を注入するための注液口１４を有する。容器本体１０には、注液口１４を介して未殺菌液が注入され、注入された未殺菌液が貯められる。貯められた未殺菌液は、図３及び図４などに示す第１光源４１及び第２光源４２を含む複数の光源４０によって紫外線が照射された後、供給口２０を介して外部に供給（排出）される。
【００２０】
本実施の形態では、図５に示すように、容器本体１０は、開口部と底部とを有する有底略円筒体である。具体的には、容器本体１０は、二重構造を有し、内部に貯められた液体の温度を保つことができる。より具体的には、容器本体１０は、外側容器１１と、内側容器１２とを備える。
【００２１】
外側容器１１は、容器本体１０の外郭をなす。内側容器１２は、液体が貯められる内部空間を形成する。内側容器１２の内部空間の容量、すなわち、容器本体１０に貯められる液体の容量は、例えば、６リットル〜１０リットルであるが、これに限らない。内側容器１２は、外側容器１１より小さく、外側容器１１の内部に配置されている。
【００２２】
外側容器１１及び内側容器１２はそれぞれ、開口部と底部とを有する有底略円筒体である。なお、開口部と底部とは、平面視において同じ大きさでもよく、あるいは、開口部が底部より小さくてもよい（いわゆるボトル状）。また、外側容器１１及び内側容器１２の各々の形状は、これに限らず、例えば、有底角筒状でもよい。
【００２３】
図３に示すように、外側容器１１の開口部と内側容器１２の開口部とは接続されている。これにより、外側容器１１と内側容器１２との間に閉空間１３が形成されている。閉空間１３は、例えば真空などの減圧された空間である。これにより、外側容器１１と内側容器１２との間での熱伝導を抑制することができる。
【００２４】
注液口１４は、容器本体１０に形成された開口部である。具体的には、注液口１４は、内側容器１２の開口部である。注液口１４を介して未殺菌液が内側容器１２の内部に注入される。
【００２５】
注液口１４は、図１に示すように、蓋３０によって塞がれる。注液口１４の平面視形状（上面視形状）は、略円形である。これにより、蓋３０を回動させてねじ締めすることで、注液口１４を蓋３０によって塞ぐことができる。もっとも塞ぐに際して、ねじ締めに限らず、注液口１４及び蓋３０にそれぞれ係合する凹部又は凸部を設けてもよい。例えば、凹部を凸部にはめ込んで注液口１４を蓋３０によって塞いでもよい。また、単に塞ぐだけであるならば、特にロックさせる機構を設ける必要もない。
【００２６】
容器本体１０の底面には、図３及び図４に示すように、第２光源４２が設けられている。第２光源４２の各々は、紫外線を発して、容器本体１０に貯められた液体を殺菌する。
【００２７】
容器本体１０の側面の底面近傍には、供給口２０が接続される貫通孔１５が形成されている。貫通孔１５は、外側容器１１の外部と内側容器１２の内部とを連通する。貫通孔１５及び供給口２０を介して、内側容器１２に貯められた液体（例えば、殺菌液）を外部に供給することができる。
【００２８】
容器本体１０の内面は、複数の光源４０から発せられた紫外線を乱反射（拡散反射）する乱反射面である。
【００２９】
乱反射面とは、鏡面反射（正反射）よりも乱反射（拡散反射）の方が強い面をいう。つまり、乱反射面では、鏡面反射の光束よりも乱反射の光束の方が大きい。言い換えると、乱反射面の拡散反射率は、５０％以上である。拡散反射率とは、反射した光束に対する拡散反射した光束の比を意味する。
【００３０】
なお、容器本体１０の内面の紫外線に対する反射率は、９０％以上であることが好ましい。これにより、乱反射面は、容器本体１０内の液体に紫外線を十分に拡散できる。
【００３１】
具体的には、容器本体１０の内面は、紫外線を反射する耐水性を有する金属で覆われており、紫外線を乱反射するための形状を有する。例えば、内側容器１２は、金属材料で形成されており、図３に示すように内側容器１２の内面には、複数の凹部１２ａが全域にわたって形成されている。
【００３２】
金属材料は、例えば、アルミニウムである。なお、外側容器１１及び内側容器１２は、金属材料に限らず、例えば、樹脂材料などから形成されてもよい。このとき、内側容器１２の内面は、例えばめっき処理などによって金属材料で覆われていてもよい。また、金属材料の表面は、透明な耐水性を有する材料で覆われてもよい。
【００３３】
ここでは、複数の凹部１２ａの間隔は約２００μｍであり、複数の凹部１２ａの各々の直径は０．２５５〜２５５μｍである。複数の凹部１２ａの大きさ及び間隔は、製造の容易さを考慮すれば、ともに約２００μｍであることが好ましい。なお、複数の凹部１２ａの大きさ、形状及び間隔は、図３に限定されない。例えば、複数の凹部１２ａは、大きさ、形状及び間隔が不均一であってもよい。また、内側容器１２の内面は、複数の凹部の代わりに、複数の凸部を有してもよい。
【００３４】
図５に示すように、容器本体１０の注液口１４の近傍には、開閉センサ５０（容器側センサ５２）及びコネクタ５５（容器側コネクタ５７）が設けられる。具体的には、容器側センサ５２及び容器側コネクタ５７は、蓋３０を正しく閉じたときに、蓋３０に設けられた蓋側センサ５１及び蓋側コネクタ５６と対向する位置に設けられる。
【００３５】
なお、容器本体１０は、上述したような二重構造を有しなくてもよい。
【００３６】
［供給口］
供給口２０は、容器本体１０に貯められた液体を供給するための部材である。具体的には、供給口２０は、操作レバーを備える。操作レバーは、例えば、押下式、引上式、又は、回動式のレバーであり、供給口２０の開閉を制御する。操作レバーが操作されたとき、供給口２０は、容器本体１０に貯められた液体の外部への供給を開始／停止する。
【００３７】
供給口２０は、例えば、容器本体１０の底部近傍の側面部に取り付けられている。具体的には、供給口２０は、容器本体１０の貫通孔１５に接続されている。供給口２０は、例えば、ポリプロピレン（ＰＰ）などの樹脂材料から形成される。
【００３８】
なお、供給口２０が設けられる位置は、容器本体１０の底部近傍に限らない。例えば、供給口２０は、給湯ポットなどのように、容器本体１０の上部に設けられていてもよい。
【００３９】
［蓋］
図６は、本実施の形態に係る蓋３０の斜視図である。
【００４０】
蓋３０は、注液口１４を塞ぐための着脱可能な蓋である。本実施の形態では、図６に示すように、蓋３０の裏面には、第１光源４１が取り付けられている。
【００４１】
図６に示すように、蓋３０は、表面部３０ａと、裏面部３０ｂとを備える。
【００４２】
表面部３０ａは、蓋３０の表（おもて）面側の部分であり、図３に示すように、蓋３０が閉じられた場合には、注液口１４を覆う。表面部３０ａは、例えば、円板状の筐体である。表面部３０ａは、裏面（下面）側が開放されており、裏面部３０ｂが接続されている。表面部３０ａは、例えば、ポリプロピレンなどの樹脂材料から形成される。
【００４３】
裏面部３０ｂは、蓋３０の裏面側の部分であり、図３に示すように、蓋３０が閉じられた場合には、注液口１４を介して容器本体１０（具体的には、内側容器１２）内に配置されている。裏面部３０ｂは、例えば、円板状の筐体である。裏面部３０ｂは、表面（上面）側が開放されており、表面部３０ａが接続されている。裏面部３０ｂの裏面（下面）を貫通するように、複数の光源４０が設けられている。
【００４４】
本実施の形態では、蓋３０の裏面は、金属で覆われている。具体的には、裏面部３０ｂが金属材料で形成されており、裏面部３０ｂの外面（下面）が紫外線を乱反射する金属部材（例えばアルミニウムなど）で覆われている。これにより、複数の光源４０が発する紫外光を乱反射することができる。
【００４５】
なお、裏面部３０ｂは、樹脂材料から形成されてもよい。この場合、例えば、裏面部３０ｂの下面に金属板を取り付けることで、蓋３０の裏面の反射に拡散性を持たせることができる。
【００４６】
また、図３に示すように、蓋３０の内部には、駆動回路６０及びインジケータ７０が配置されている。また、図６に示すように、蓋３０の内部には、開閉センサ５０（蓋側センサ５１）及びコネクタ５５（蓋側コネクタ５６）が配置されている。
【００４７】
本実施の形態では、蓋３０は、ねじ巻き式の蓋である。つまり、蓋３０を容器本体１０に対して回動させることで、蓋３０は、注液口１４を塞ぐことができる。
【００４８】
蓋３０は、円板状の蓋体であり、注液口１４を塞ぐことで、容器本体１０の内部空間（液体が貯められる空間）を密閉する。なお、本実施の形態では、蓋３０が注液口１４を塞ぐことを、蓋３０を閉じると記載する場合がある。
【００４９】
具体的には、「蓋３０を閉じる」とは、注液口１４を介して、容器本体１０の内部から光が直接漏れない状態にすることである。つまり、蓋３０が閉じられた状態では、蓋３０と注液口１４との間には隙間が形成されておらず、容器本体１０の内部から注液口１４を介して外部に光が漏れない。蓋３０が、容器本体１０に対して所定の向き（又は所定の位置）まで回動された場合に、蓋３０が閉じた状態になる。
【００５０】
蓋３０が「開けられた状態」とは、蓋３０が閉じられていない状態である。例えば、蓋３０が開けられた状態では、容器本体１０の注液口１４から光が漏れ出る、すなわち、注液口１４を介して容器本体１０の内部を視認可能な状態である。
【００５１】
［複数の光源］
複数の光源４０は、容器本体１０の内部に配置され、容器本体１０に貯められた液体に紫外線を照射することで、当該液体を殺菌する。照射する紫外線は、例えば、２００ｎｍ〜４００ｎｍの範囲にピーク波長を有する紫外線である。本実施の形態では、複数の光源４０は、一例として、ピーク波長が２５３．７ｎｍの紫外線を照射する。
【００５２】
複数の光源４０は、第１光源４１と、第２光源４２とを含む。
【００５３】
第１光源４１は、蓋３０の裏面に設けられている。具体的には、第１光源４１は、裏面部３０ｂを貫通するように設けられている。
【００５４】
第１光源４１は、外部から電力を受けて紫外線を発するランプである。第１光源４１は、例えば、紫外線を発する水銀灯である。例えば、第１光源４１としては、内部に水銀蒸気などが封止されたガラス管を有する低圧水銀蒸気放電ランプを用いることができる。なお、ランプに替えて、紫外線を発するＬＥＤ（Ｌｉｇｈｔ  Ｅｍｉｔｔｉｎｇ  Ｄｉｏｄｅ）が第１光源４１として用いられてもよい。図３に示すように、第１光源４１の給電部は、裏面部３０ｂ内に設けられており、コネクタ６２に接続されている。第１光源４１は、例えば、６Ｗの消費電力で３分間照射することにより、約８リットルの水を殺菌することができる。例えば、６Ｗの消費電力で紫外線を３分間照射することにより、８リットルの水に含まれるマイクロコッカス菌を９９．９％殺菌することができた。
【００５５】
図３及び図６に示すように、第１光源４１の形状は、直管状である。第１光源４１は、例えば、第１光源４１の長軸方向が蓋３０の裏面に直交するように設けられている。具体的には、第１光源４１は、蓋３０の裏面の、平面視における略中心部から、容器本体１０の内部に延びるように設けられている。第１光源４１の先端（下方端）は、容器本体１０の内底面の近傍に位置している。例えば、図３に示すように、第１光源４１の先端と供給口２０（貫通孔１５）とは略同じ高さに位置する。
【００５６】
第１光源４１の周囲には、第１光源４１の破損を防止するためのカバー４３が設けられている。カバー４３は、例えば、蓋３０を机又は床などに置いた場合に、第１光源４１が机又は床に直接接触するのを抑制する。
【００５７】
カバー４３は、第１光源４１を囲むように設けられている。具体的には、カバー４３は、立体格子形状を有し、当該立体格子の内部に第１光源４１が配置されている。カバー４３は、例えば、アルミニウム、ステンレスなどの金属材料から形成される。カバー４３は、容器本体１０の内面と同様に、第１光源４１等から発せられた紫外線を乱反射（拡散反射）する乱反射面で構成されてもよい。これにより、容器本体１０内に貯められた液体に紫外線をより拡散することができる。
【００５８】
第１光源４１及びカバー４３は、容器本体１０内に水が貯められた場合に、貯められた水に浸かる。例えば、規定の水量（例えば８リットル）の水が貯められた場合に、第１光源４１は、少なくとも半分以上が浸水する。このため、第１光源４１及びカバー４３は、防水性を有することが好ましい。
【００５９】
第２光源４２は、図３及び図４に示すように、容器本体１０の内底面に設けられている。具体的には、第２光源４２は、内側容器１２の底面を貫通して、内側容器１２の内部に露出するように設けられている。なお、内側容器１２から液体が漏れないように、第２光源４２と内側容器１２との間はシールされている。
【００６０】
また、第２光源４２は、駆動回路６０から電力を受けて紫外線を発する。例えば、第２光源４２は、紫外線を発するＬＥＤである。
【００６１】
なお、複数の光源４０が紫外線を照射する際には、殺菌容器１は、通常、机又は床などの上に設置されて固定されている。したがって、容器本体１０に貯められた水は、動水（流水）ではなく、静水である。複数の光源４０は、静水に紫外線を照射するので、短時間で充分に殺菌することができる。
【００６２】
［開閉センサ］
開閉センサ５０は、注液口１４が蓋３０によって塞がれているか否かを検知する。つまり、開閉センサ５０は、蓋３０が閉じられた状態であるか、開けられた状態であるかを検知する。
【００６３】
開閉センサ５０は、図５及び図６に示すように、蓋側センサ５１と、容器側センサ５２とを備える。蓋側センサ５１は、例えば、蓋３０に内蔵されている。容器側センサ５２は、例えば、容器本体１０に内蔵されている。
【００６４】
本実施の形態では、蓋側センサ５１と容器側センサ５２とは、蓋３０が閉じられた場合に近接するように設けられている。例えば、蓋側センサ５１と容器側センサ５２とは、蓋３０が閉じられた場合に、上面視において重複する。
【００６５】
開閉センサ５０は、例えば、磁気センサである。蓋側センサ５１は、例えば、リードスイッチを有し、駆動回路６０に電気的に接続されている。容器側センサ５２は、例えば、永久磁石などの磁石である。蓋３０が閉じられた場合に、蓋側センサ５１のリードスイッチが導通し、電流が流れる。蓋側センサ５１は、当該電流を検知信号として駆動回路６０に出力する。
【００６６】
なお、開閉センサ５０の構成は、一例であって、これに限らない。例えば、蓋側センサ５１は、コイルを有し、容器側センサ５２に近接したときに流れる電流を検知信号として駆動回路６０に出力してもよい。
【００６７】
［駆動回路］
駆動回路６０は、複数の光源４０の点灯及び消灯を制御する。具体的には、駆動回路６０は、複数の光源４０を点灯するタイミング及び消灯するタイミングを制御する。なお、駆動回路６０は、複数の光源４０が放射する紫外線の強度、又は、紫外線を照射する期間を変更する制御を行ってもよい。
【００６８】
本実施の形態では、駆動回路６０は、複数の光源４０の点灯が許可されている点灯許可モードと、複数の光源４０の点灯が禁止されている点灯禁止モードとを選択的に実行する。点灯許可モードでは、電源スイッチ６３が押下されたときに、駆動回路６０は、複数の光源４０の点灯を行う。点灯禁止モードでは、電源スイッチ６３が押下されたとしても、駆動回路６０は、複数の光源４０の点灯を行わない。駆動回路６０は、点灯許可モードと点灯禁止モードとを、開閉センサ５０による検知結果に基づいて切り替える。
【００６９】
具体的には、駆動回路６０は、注液口１４が塞がれていることを開閉センサ５０によって検知されない場合に、複数の光源４０の点灯を禁止する。つまり、駆動回路６０は、蓋３０が開けられた状態では、点灯禁止モードを実行して、複数の光源４０への電力の供給を禁止する。また、駆動回路６０は、蓋３０が閉じられた状態でのみ、点灯許可モードを実行して、複数の光源４０への電力の供給を許可する。また、複数の光源４０の点灯中に、蓋３０が開けられた場合、駆動回路６０は、複数の光源４０を消灯し、点灯許可モードから点灯禁止モードに移行する。
【００７０】
駆動回路６０は、図３に示すように、インバータ６１と、コネクタ６２と、電源スイッチ６３と、メイン回路基板６４と、タイマー６５とを備える。なお、図示しないが、インバータ６１と、コネクタ６２と、電源スイッチ６３と、メイン回路基板６４と、タイマー６５とは、ケーブル又は基板に設けられた金属パターンなどの配線によって電気的に接続されている。また、駆動回路６０及びコネクタ５５（蓋側コネクタ５６）は、電気的に接続されている。
【００７１】
インバータ６１は、第１光源４１に供給するための交流電力を生成する。具体的には、インバータ６１は、外部電源から供給された電力（例えば、系統電力）を所望の周波数に変換し、変換後の交流電力を、コネクタ６２を介して第１光源４１に供給する。
【００７２】
コネクタ６２は、第１光源４１に電力を供給するための接続部の一例である。コネクタ６２は、インバータ６１に電気的に接続されている。
【００７３】
電源スイッチ６３は、複数の光源４０の点灯を開始するためのスイッチである。電源スイッチ６３が押下された場合に、メイン回路基板６４及びインバータ６１は、複数の光源４０に電力を供給する。なお、複数の光源４０が点灯中に電源スイッチ６３が押下されたとき、メイン回路基板６４及びインバータ６１は、複数の光源４０を消灯してもよい。
【００７４】
メイン回路基板６４は、複数の光源４０への電力の供給の開始及び停止を制御するための回路基板である。具体的には、メイン回路基板６４は、電源スイッチ６３が押下されたことを検知して、複数の光源４０へ電力の供給を開始する。
【００７５】
本実施の形態では、メイン回路基板６４は、開閉センサ５０から出力された検知信号を取得する。メイン回路基板６４は、検知信号によって蓋３０が閉じられていることが確認された場合にのみ、点灯許可モードを実行する。
【００７６】
タイマー６５は、複数の光源４０の点灯時間をカウントする。タイマー６５は、例えば、メイン回路基板６４に設けられている。タイマー６５は、複数の光源４０による紫外線の照射が開始されたタイミングからカウントを開始する。タイマー６５は、カウントの開始から、予め設定された期間（以下、「設定時間」と記載する）が経過したタイミングで、消灯タイミング信号をメイン回路基板６４に出力する。メイン回路基板６４は、消灯タイミング信号を受けた場合に、複数の光源４０への電力の供給を停止し、複数の光源４０による紫外線の照射を停止する。
【００７７】
設定時間は、例えば、３分間である。なお、複数の設定時間が設定されていてもよい。この場合、ユーザは、複数の設定時間から１つの設定時間を選択することができる。設定時間が長い程、未殺菌液の殺菌効果をより高めることができる。
【００７８】
本実施の形態では、タイマー６５は、インジケータ７０にカウントに応じたカウント信号を出力する。例えば、タイマー６５は、カウント値又は残り時間を示すカウント信号を出力する。
【００７９】
なお、メイン回路基板６４には、例えば、マイコン（マイクロコントローラ）が実装されている。マイコンは、複数の光源４０の点灯制御、及び、インジケータ７０の表示制御を行う。また、マイコンは、タイマー６５の機能を有してもよい。
【００８０】
［インジケータ］
インジケータ７０は、タイマー６５によるカウントに応じた表示を行う。インジケータ７０は、例えば、タイマー６５によるカウントに応じて異なる表示を行う。
【００８１】
図３に示すように、インジケータ７０は、ＬＥＤ基板７１と、透光性カバー７２とを備える。
【００８２】
ＬＥＤ基板７１は、複数のＬＥＤ素子が実装されている。複数のＬＥＤ素子は、タイマー６５によるカウントに応じて順に発光する。複数のＬＥＤ素子は、例えば、赤色又は青色などの可視光を発する。
【００８３】
透光性カバー７２は、ＬＥＤ基板７１から発せられる光を透過するカバーである。透光性カバー７２は、蓋３０の内部に塵埃又は水分などの異物が侵入するのを抑制する。
【００８４】
［機能構成］
続いて、本実施の形態に係る殺菌容器１の機能構成について、図７を用いて説明する。図７は、本実施の形態に係る殺菌容器１の構成を示す機能ブロック図である。
【００８５】
図７に示すように、殺菌容器１は、受付部１１０と、検知部１２０と、光源部１３０と、制御部１４０と、タイマー部１５０と、表示部１６０とを備える。
【００８６】
受付部１１０は、光源部１３０による紫外線の照射の開始（すなわち、点灯指示）を受け付ける。受付部１１０は、電源スイッチ６３に相当する。受付部１１０は、紫外線の照射の停止（すなわち、消灯指示）を受け付けてもよい。受付部１１０は、点灯期間の設定、照射強度の設定などを受け付けてもよい。
【００８７】
検知部１２０は、蓋３０が閉じられているか否かを検知する。検知部１２０は、開閉センサ５０に相当する。検知部１２０は、蓋３０が閉じられているか否かを検知し、検知結果を制御部１４０に出力する。
【００８８】
光源部１３０は、容器本体１０に貯められた水に紫外線を照射する。光源部１３０は、複数の光源４０に相当する。光源部１３０は、制御部１４０による点灯又は消灯の制御に基づいて、紫外線の点灯及び消灯を行う。
【００８９】
制御部１４０は、光源部１３０及び表示部１６０の動作を制御する。制御部１４０は、駆動回路６０に相当する。具体的には、制御部１４０は、メイン回路基板６４に実装されたマイコンに相当する。
【００９０】
本実施の形態では、制御部１４０は、殺菌容器１の動作モードを制御する。
【００９１】
具体的には、制御部１４０は、蓋３０が閉じられたことを検知部１２０が検知した場合に、点灯許可モードに移行する。例えば、点灯許可モードの場合に、制御部１４０は、受付部１１０が点灯指示を受け付けた場合に、光源部１３０に紫外線を照射させる。
【００９２】
また、制御部１４０は、設定時間が経過したことがタイマー部１５０から通知されたとき、光源部１３０に紫外線の照射を停止させる。
【００９３】
制御部１４０は、光源部１３０が紫外線を照射中に、蓋３０が開けられたことを検知部１２０が検知した場合に、光源部１３０に紫外線の照射を停止させる。また、このとき、制御部１４０は、点灯許可モードから点灯禁止モードに移行する。
【００９４】
制御部１４０は、点灯禁止モードの場合に、受付部１１０が点灯指示を受け付けたとしても、光源部１３０に紫外線を照射させない。
【００９５】
タイマー部１５０は、光源部１３０の点灯時間をカウントする。タイマー部１５０は、タイマー６５に相当する。タイマー部１５０は、光源部１３０の点灯時間が設定時間に達した場合に、制御部１４０に通知する。
【００９６】
表示部１６０は、タイマー部１５０によるカウントに応じた表示を行う。表示部１６０は、インジケータ７０に相当する。表示部１６０は、制御部１４０による制御に基づいて、光源部１３０の点灯時間に応じて異なる表示を行う。
【００９７】
［動作］
続いて、本実施の形態に係る殺菌容器１の動作について、図８を用いて説明する。図８は、本実施の形態に係る殺菌容器１の動作を示すフローチャートである。
【００９８】
まず、ユーザは、殺菌容器１の蓋３０を取り外して、注液口１４を介して容器本体１０に液体を注入する。液体は、具体的には、未殺菌液であり、例えば、蛇口から供給される水道水である。
【００９９】
次に、ユーザは、容器本体１０に蓋３０を取り付ける。具体的には、ユーザは、蓋３０を回動させることで蓋３０を閉じる。
【０１００】
以上のように、ユーザによって容器本体１０に液体が貯められた後に、殺菌容器１は、貯められた液体の殺菌を行うことができる。つまり、制御部１４０は、点灯許可モードを実行する。
【０１０１】
具体的には、まず、図８に示すように、受付部１１０は、ユーザから点灯指示を受け付けるのを待機する（ステップＳ１０でＮｏ）。具体的には、例えば、ユーザの手によって電源スイッチ６３が押下されるのを待機する。
【０１０２】
点灯指示が受け付けられた場合（ステップＳ１０でＹｅｓ）、制御部１４０は、検知部１２０によって蓋３０が閉じられていることを確認する（ステップＳ１２）。蓋３０が閉じられていない場合（ステップＳ１２でＮｏ）、ステップＳ１２が繰り返される。
【０１０３】
蓋３０が閉じられている場合（ステップＳ１２でＹｅｓ）、制御部１４０は、光源部１３０に、容器本体１０に貯められた液体への紫外線の照射を開始させる（ステップＳ１６）。
【０１０４】
タイマー部１５０は、カウントを開始し、設定時間を経過するまで待機する（ステップＳ１８でＮｏ）。この間、光源部１３０は、紫外線の照射を継続する。また、表示部１６０は、カウントに応じた表示を行う。
【０１０５】
設定時間が経過した場合（ステップＳ１８でＹｅｓ）、光源部１３０は、紫外線の照射を停止する（Ｓ２０）。これにより、設定時間の間、容器本体１０に貯められた未殺菌液には、紫外線が直接照射されるので、充分に殺菌することができる。
【０１０６】
なお、このとき、表示部１６０は表示を終了する。すなわち、ＬＥＤ基板７１は、発光を終了する。
【０１０７】
最後に、ユーザは、必要に応じて供給口２０を操作することで、容器本体１０に貯められた液体（殺菌液）をコップなどに注ぐことができる。これにより、殺菌液を飲料などとして利用することができる。
【０１０８】
［効果など］
以下では、本実施の形態に係る殺菌容器１による効果などを説明する。
【０１０９】
従来の流水式の水殺菌装置では、上述したように、充分に殺菌されないままタンクに貯水されるという問題がある。
【０１１０】
これに対して、本実施の形態に係る殺菌容器１は、液体が貯められる有底筒状の容器本体１０と、容器本体１０の注液口（開口部）１４を塞ぐための、容器本体１０に着脱可能な蓋３０と、容器本体１０の内部に配置され、容器本体１０に貯められる液体に紫外線を照射することで、当該液体を殺菌する複数の光源４０と、を備える。
【０１１１】
これにより、複数の光源４０は、容器本体１０の内部に貯められた液体に紫外線を照射することができるで、貯められた液体を一括して殺菌することができる。また、容器本体の内部に配置された複数の光源４０で紫外線を液体に照射できるので、容器本体１０に貯められた液体の位置による紫外線の照射量のばらつきを減少させることができる。その結果、殺菌容器１は、紫外線を用いて液体を短時間で効果的に殺菌することができる。
【０１１２】
また、複数の光源４０は、蓋３０の裏面に設けられた第１光源４１と、容器本体１０の内面に設けられた１以上の第２光源４２と、を含む。
【０１１３】
これにより、蓋３０の裏面と容器本体１０の内面との両方から紫外線を液体に照射することができる。したがって、殺菌容器１は、紫外線の照射量の位置によるばらつきをより減少させることができ、より効果的に液体を殺菌することができる。
【０１１４】
また、第２光源４２は、容器本体１０の内底面に設けられている。
【０１１５】
これにより、蓋３０の裏面に設けられた第１光源４１から発せられた紫外線が届きにくい容器本体１０の底部にある液体に、第２光源４２が効果的に紫外線を照射することができる。したがって、殺菌容器１は、液体に紫外線をより均一に照射することができ、より効果的に液体を殺菌することができる。
【０１１６】
また、本実施の形態に係る殺菌容器１は、液体が貯められる有底筒状の容器本体１０と、容器本体１０の注液口（開口部）１４を塞ぐための、容器本体１０に着脱可能な蓋３０と、容器本体１０の内部に配置され、容器本体１０に貯められる液体に紫外線を照射することで、当該液体を殺菌する少なくとも１つの光源（第１光源４１）と、を備え、容器本体１０の内面の少なくとも一部は、紫外線を乱反射する乱反射面である。
【０１１７】
これにより、殺菌容器１は、容器本体１０の内面の少なくとも一部で紫外線を乱反射させることができ、容器本体１０に貯められた液体により均一に紫外線を照射することができる。したがって、殺菌容器１は、紫外線を用いて液体を短時間で効果的に殺菌することができる。
【０１１８】
また、蓋３０の裏面の少なくとも一部は、紫外線を乱反射する乱反射面である。
【０１１９】
これにより、蓋３０の裏面の少なくとも一部でも紫外線を乱反射させることができ、容器本体１０に貯められた液体により均一に紫外線を照射することができる。
【０１２０】
なお、上記実施の形態における複数の光源及び乱反射面は例示であり、複数の光源の形状、数及び配置、並びに、乱反射面の位置は、上記実施の形態に限定されない。以下に、実施の形態１の変形例について説明する。
【０１２１】
（実施の形態１の変形例１）
本変形例では、第２光源が容器本体の側面に形成された貫通孔の近傍に設けられる点が、上記実施の形態と異なる。本変形例に係る殺菌容器について、上記実施の形態と異なる点を中心に、図９を用いて説明する。
【０１２２】
図９は、貫通孔の近傍における容器本体１０の部分断面図である。図９に示すように、本変形例に係る殺菌容器１Ａは、容器本体１０の内側面かつ貫通孔１５の近傍に設けられた第２光源４２Ａを備える。本実施の形態では、第２光源４２Ａは、容器本体１０（内側容器１２）の内側面に設けられ、貫通孔１５を囲うように設けられる。具体的には、第２光源４２Ａは、内側容器１２の側面を貫通して、内側容器１２の内部に露出するように設けられている。また、第２光源４２Ａは、駆動回路６０からコネクタ５５を介して電力を受けて紫外線を発する。例えば、第２光源４２Ａは、紫外線を発するＬＥＤである。
【０１２３】
以上のように、本変形例に係る殺菌容器１Ａにおいて、容器本体１０の側面には、容器本体１０に貯められた液体を外部に供給するための貫通孔１５が形成され、第２光源４２Ａは、容器本体１０の内側面かつ貫通孔１５の近傍に設けられている。
【０１２４】
これにより、供給口２０から外部に供給される液体に対する殺菌効果を向上させることができ、より効果的に液体を殺菌することができる。
【０１２５】
（実施の形態１の変形例２）
本変形例では、第２光源が容器本体の開口部（注液口）の近傍に設けられる点が、上記実施の形態と異なる。本変形例に係る殺菌容器について、上記実施の形態と異なる点を中心に、図１０を用いて説明する。
【０１２６】
図１０は、本変形例に係る容器本体１０の断面図である。図１０に示すように、本変形例に係る殺菌容器１Ｂは、容器本体１０の内側面かつ注液口１４（開口部）近傍に設けられた第２光源４２Ｂを備える。具体的には、第２光源４２Ｂは、内側容器１２の側面を貫通して、内側容器１２の内部に露出するように設けられている。また、第２光源４２Ｂは、駆動回路６０からコネクタ５５を介して電力を受けて紫外線を発する。例えば、第２光源４２Ｂは、紫外線を発するＬＥＤである。
【０１２７】
以上のように、本変形例に係る殺菌容器１Ｂにおいて、第２光源４２Ｂは、容器本体１０の内側面かつ注液口１４（開口部）の近傍に設けられている。
【０１２８】
これにより、注液口１４の近傍の液体に集中的に紫外線を照射することができ、注液口１４を介して侵入した菌を効果的に死滅させることができる。したがって、殺菌容器１Ｂは、殺菌能力を向上させることができる。
【０１２９】
（実施の形態１の変形例３）
本変形例では、第２光源が蓋の裏面に設けられる点が、上記実施の形態と異なる。本変形例に係る殺菌容器について、上記実施の形態と異なる点を中心に、図１１を用いて説明する。
【０１３０】
図１１は、本変形例に係る蓋３０の斜視図である。図１１に示すように、本変形例に係る殺菌容器１Ｃは、蓋３０の裏面の周縁部に設けられた第２光源４２Ｃを備える。具体的には、第２光源４２Ｃは、裏面部３０ｂの裏面（下面）を貫通して、容器本体１０の内部に露出するように設けられている。また、第２光源４２Ｃは、駆動回路６０から電力を受けて紫外線を発する。例えば、第２光源４２Ｃは、紫外線を発するＬＥＤである。なお、第２光源４２Ｃが蓋３０に設けられているので、殺菌容器１Ｃは、容器本体１０と蓋３０との間のコネクタ５５を備えなくてもよい。
【０１３１】
以上のように、本変形例に係る殺菌容器１Ｃにおいて、複数の光源４０は、蓋３０の裏面の略中心部から容器本体１０の内部に延びる第１光源４１と、蓋３０の裏面の周縁部に設けられた１以上の第２光源４２と、を含む。
【０１３２】
これにより、第１光源４１が容器本体１０内の液体全体に紫外線を照射し、第２光源４２が注液口１４の近傍の液体に集中的に紫外線を照射することができる。したがって、殺菌容器１Ｃは、殺菌能力を向上させることができる。
【０１３３】
（実施の形態１の変形例４）
本変形例では、第２光源が、容器本体に貯められた液体を外部に供給するための貫通孔内に設けられる点が、上記実施の形態と異なる。本変形例に係る殺菌容器について、上記実施の形態と異なる点を中心に、図１２を用いて説明する。
【０１３４】
図１２は、本変形例に係る殺菌容器１Ｄの断面図である。図１２に示すように、本変形例に係る殺菌容器１Ｄは、容器本体１０の側面に形成された貫通孔１５内に設けられた第２光源４２Ｄを備える。第２光源４２Ｄは、駆動回路６０から電力を受けて紫外線を発する。例えば、第２光源４２Ｄは、紫外線を発するＬＥＤである。
【０１３５】
以上のように、本変形例に係る殺菌容器１Ｄにおいて、容器本体１０の側面には、容器本体１０に貯められた液体を外部に供給するための貫通孔１５が形成され、複数の光源４０は、蓋３０の裏面に設けられた第１光源４１と、貫通孔１５内に設けられた１以上の第２光源４２と、を含む。
【０１３６】
これにより、貫通孔１５内の液体を効果的に殺菌することができ、供給口２０から外部に供給される液体に対する殺菌効果を向上させることができ、より効果的に液体を殺菌することができる。
【０１３７】
（実施の形態１の変形例５）
上記実施の形態では、容器本体１０の内面（内底面及び内側面）及び蓋３０の裏面が乱反射面であったが、必ずしも容器本体１０の内面及び蓋３０の裏面の両方が乱反射面でなくてもよい。本変形例では、第１光源の配光特性に応じて、容器本体の内側面の一部のみを乱反射面とする点が、上記実施の形態と異なる。本変形例に係る殺菌容器について、上記実施の形態と異なる点を中心に、図１３を用いて説明する。
【０１３８】
図１３は、本変形例に係る殺菌容器１Ｅの断面図である。図１３に示すように、本変形例に係る殺菌容器１Ｅの容器本体１０の内側面は、第１側面Ｓ１と、第２側面Ｓ２と、第３側面Ｓ３と、を含む。また、本変形例では、殺菌容器１Ｅは、第２光源を含まない。
【０１３９】
第１側面Ｓ１、第２側面Ｓ２及び第３側面Ｓ３は、第１光源４１が延びる方向（Ｚ軸方向）に蓋３０側から第１側面Ｓ１、第２側面Ｓ２及び第３側面Ｓ３の順に並んで配置され、第１光源４１を周方向に囲っている。つまり、第１側面Ｓ１は、第２側面Ｓ２及び第３側面Ｓ３よりも容器本体１０の注液口１４側に位置する。第２側面Ｓ２は、Ｚ軸方向において第１側面Ｓ１と第３側面Ｓ３と間に位置する。第３側面Ｓ３は、第１側面Ｓ１及び第２側面Ｓ２よりも容器本体１０の底側に位置する。
【０１４０】
第１側面Ｓ１は、第１光源４１から発せられた紫外線を反射する非乱反射面である。非乱反射面とは、乱反射（拡散反射）よりも鏡面反射（正反射）の方が強い面をいう。つまり、非乱反射面では、乱反射の光束よりも鏡面反射の光束の方が大きい。言い換えると、非乱反射面の拡散反射率は、５０％未満である。具体的には、第１側面Ｓ１は、紫外線を反射する金属（例えばアルミニウム）で覆われている。
【０１４１】
第２側面Ｓ２は、第１光源４１から発せられた紫外線を乱反射（拡散反射）する乱反射面である。第２側面Ｓ２の拡散反射率は、第１側面Ｓ１及び第３側面Ｓ３の拡散反射率よりも高い。
【０１４２】
具体的には、第２側面Ｓ２は、紫外線を反射する金属（例えばアルミニウム）で覆われており、紫外線を乱反射させるための構造を有する。例えば、第２側面Ｓ２は、図３に示したように複数の凹部１２ａを有している。
【０１４３】
第３側面Ｓ３は、第１側面Ｓ１と同様に非乱反射面である。具体的には、第３側面Ｓ３は、紫外線を反射する金属（例えばアルミニウム）で覆われている。
【０１４４】
なお、第１側面Ｓ１及び第３側面Ｓ３は、拡散反射率が第２側面Ｓ２よりも低ければ、乱反射面であってもよい。
【０１４５】
以上のように、本変形例に係る殺菌容器１Ｅは、蓋３０の裏面の略中心部から容器本体１０の内部に延びる第１光源４１を備え、容器本体１０の内側面は、第１側面Ｓ１と、第２側面Ｓ２と、第３側面Ｓ３と、を含み、第１側面Ｓ１、第２側面Ｓ２及び第３側面Ｓ３は、第１光源４１が延びる方向に蓋３０側から第１側面Ｓ１、第２側面Ｓ２及び第３側面Ｓ３の順に並んで配置され、第２側面Ｓ２の拡散反射率は、第１側面Ｓ１及び第３側面Ｓ３の拡散反射率よりも高い。
【０１４６】
これにより、蓋３０の裏面から延びる第１光源４１による紫外線の照射量が大きい容器本体１０の中央部分から、容器本体１０の底側及び開口部側に紫外線を拡散することができる。したがって、より効果的に液体を殺菌することができる。
【０１４７】
（実施の形態２）
上記実施の形態１では、殺菌容器はウォータージャグであったが、殺菌容器は、これに限定されない。例えば、殺菌容器は、蓋付きマグであってもよい。本実施の形態では、殺菌容器が蓋付きマグである場合について図１４及び図１５を用いて説明する。
【０１４８】
図１４は、本実施の形態に係る殺菌容器２００の斜視図である。図１５は、本実施の形態に係る殺菌容器２００の蓋２２０を取り外した状態を示す斜視図である。
【０１４９】
殺菌容器２００は、液体を貯めるための容器（いわゆる水筒）である。殺菌容器２００は、上記実施の形態１に係る殺菌容器１と同様に、液体に紫外線（ＵＶ光）を照射することで当該液体を殺菌する。図１５に示すように、殺菌容器２００は、容器本体２１０と、蓋２２０と、第１光源２３０と、第２光源２４０と、を備える。
【０１５０】
容器本体２１０は、液体を貯めるための有底筒状の容器である。容器本体２１０は、内部空間に液体を注入するための開口部２１１を有する。容器本体２１０には、開口部２１１を介して、未殺菌液が注入され、注入された未殺菌液が貯められる。貯められた未殺菌液は、第１光源２３０及び第２光源２４０を含む複数の光源によって紫外線が照射された後、開口部２１１を介して外部に供給（排出）される。つまり、本実施の形態では、開口部２１１は、注液口と供給口とを兼ねる。
【０１５１】
容器本体２１０の内部空間の容量は、例えば５００ｍＬであるが、これに限定されない。容器本体１０は、例えば、人が片手又は両手で持てる程度の大きさである。
【０１５２】
容器本体２１０の内面（内底面２１０ａ及び内側面２１０ｂ）は、上記実施の形態１と同様に、第１光源２３０及び第２光源２４０から発せられた紫外線を乱反射する乱反射面である。
【０１５３】
蓋２２０は、開口部２１１を塞ぐための、容器本体２１０に着脱可能な蓋である。蓋２２０は、開口部２１１を塞ぐことで、容器本体２１０の内部空間を密閉する。蓋２２０の裏面２２０ａは、容器本体２１０の内面と同様に、紫外線を乱反射する乱反射面である。
【０１５４】
第１光源２３０は、蓋２２０の裏面２２０ａに設けられている。第１光源２３０は、図示しない駆動回路から電力を受けて、容器本体２１０に貯められる液体に紫外線を照射することで、当該液体を殺菌する。照射する紫外線は、例えば、２００ｎｍ〜４００ｎｍの範囲にピーク波長を有する紫外線である。本実施の形態では、第１光源２３０は、一例として、ピーク波長が２５３．７ｎｍの紫外線を照射する。
【０１５５】
第１光源２３０は、蓋２２０の裏面２２０ａの略中心部に設けられており、裏面２２０ａの略中心部から容器本体２１０の内部に延びる。具体的には、第１光源２３０は、例えばＵＶランプである。ＵＶランプとしては、例えば、入力電力３Ｗのグロー電球（紫外線出力１Ｗ）を用いることができるが、これに限定されない。第１光源２３０は、紫外線を発するＬＥＤであってもよい。
【０１５６】
第２光源２４０は、容器本体２１０の内底面２１０ａに設けられている。第２光源２４０は、図示しない駆動回路から電力を受けて紫外線を発する。例えば、第２光源２４０は、紫外線を発するＬＥＤである。
【０１５７】
以上のように、殺菌容器２００が蓋付きマグである場合でも、複数の光源と乱反射面とを備えることで、上記実施の形態の殺菌容器１と同様の効果を奏することができる。
【０１５８】
（その他）
以上、本発明の一態様に係る殺菌容器について、上記実施の形態及びその変形例に基づいて説明したが、本発明は、上記の各実施の形態及びその各変形例に限定されるものではない。各実施の形態及び各変形例に対して当業者が思いつく各種変形を施して得られる形態や、本発明の趣旨を逸脱しない範囲で実施の形態及び変形例における構成要素及び機能を任意に組み合わせることで実現される形態も本発明に含まれる。
【０１５９】
なお、実施の形態１の各変形例と、実施の形態２とを組み合わせてもよい。例えば、実施の形態２に係る殺菌容器２００において、実施の形態１の変形例５のように、容器本体２１０の内側面２１０ｂのうち中央部分にのみ乱反射面を形成してもよい。
【０１６０】
なお、実施の形態１の変形例１〜４を組み合わせてもよい。この場合、殺菌容器は、容器本体の内底面と、容器本体の内側面の貫通孔の近傍と、容器本体の内側面の注液口の近傍とに複数の第２光源を備えればよい。
【０１６１】
なお、上記実施の形態１、２及び実施の形態１の変形例１〜４では、殺菌容器は、複数の光源及び乱反射面の両方を備えていたが、複数の光源及び乱反射面のいずれか一方を備えてもよい。例えば、殺菌容器が乱反射面を備えない場合であっても、殺菌容器は、複数の光源によって液体を効果的に殺菌することができる。また例えば、殺菌容器が単一の光源及び乱反射面を備える場合であっても、殺菌容器は、乱反射面によって液体を効果的に殺菌することができる。
【０１６２】
なお、上記各実施の形態では、複数の光源の点灯時間が設定時間を経過したときに複数の光源による紫外線の照射を停止していたが、複数の光源の点灯制御方法は、これに限定されない。例えば、第１光源と第２光源とで異なる点灯制御方法を用いてもよい。具体的には、点灯時間が設定時間を経過したときに第１光源による紫外線の照射を停止し、第２光源による紫外線の照射を継続してもよい。これにより、第２光源からの紫外線によって、殺菌液の殺菌状態が維持され、時間の経過による菌の増加を抑制することができる。また、実施の形態１の変形例４では、操作レバーに連動して第２光源の点灯制御を行ってもよい。具体的には、操作レバーによって供給口が開けられたときに第２光源を点灯し、供給口が閉じられたときに第２光源を消灯してもよい。これにより、外部に供給される液体に紫外線を照射することができ、液体を効果的に殺菌することができる。
【０１６３】
なお、上記実施の形態１の変形例５では、容器本体の内側面の中央部分に乱反射面が形成されていたが、これに限定されない。第１光源の配光特性に応じて、乱反射面を形成する位置は変更されてもよい。例えば、第１光源からの直接光が強い領域に乱反射面が形成されればよい。
【０１６４】
なお、第１光源及び第２光源の形状及び大きさは、上記各実施の形態に限定されない。例えば、第１光源及び第２光源は円環状のランプであってもよい。
【符号の説明】
【０１６５】
１、１Ａ、１Ｂ、１Ｃ、１Ｄ、１Ｅ、２００  殺菌容器
１０、２１０  容器本体
１４  注液口（開口部）
１５  貫通孔
３０、２２０  蓋
４０  複数の光源
４１  第１光源
４２、４２Ａ、４２Ｂ、４２Ｃ、４２Ｄ、２４０  第２光源
２１１  開口部
Ｓ１  第１側面
Ｓ２  第２側面
Ｓ３  第３側面
【図１】
2017159251.tif 000003
【図２Ａ】
2017159251.tif 000004
【図２Ｂ】
2017159251.tif 000005
【図３】
2017159251.tif 000006
【図４】
2017159251.tif 000007
【図５】
2017159251.tif 000008
【図６】
2017159251.tif 000009
【図７】
2017159251.tif 000010
【図８】
2017159251.tif 000011
【図９】
2017159251.tif 000012
【図１０】
2017159251.tif 000013
【図１１】
2017159251.tif 000014
【図１２】
2017159251.tif 000015
【図１３】
2017159251.tif 000016
【図１４】
2017159251.tif 000017
【図１５】
2017159251.tif 000018